(57)【要約】【課題】洗濯乾燥機において、洗濯兼脱水槽内に温風を供給するに際し、送風用のファンを別途格別に設置する必要がなく、部品点数の削減と構造の簡素化を図ることができ、また、加熱装置を設ける場合であっても容量を小さくできて省エネとコストダウンを図ることができる洗濯乾燥機を得る。【解決手段】外箱１内に洗濯兼脱水槽３を回転自在に配設し、この洗濯兼脱水槽３に駆動用のモータ９を接続した洗濯乾燥機において、前記モータ９に付設した送風ファン１０に一端が連通する送風ダクト１７を洗濯兼脱水槽３の上部等に開口した。【選択図】        図１
2004275612.tif 000002
【特許請求の範囲】
【請求項１】
外箱内に洗濯兼脱水槽を回転自在に配設し、この洗濯兼脱水槽に駆動用のモータを接続した洗濯乾燥機において、前記モータに付設した送風ファンに一端が連通する送風ダクトを設け、また前記送風ダクトは、洗濯兼脱水槽の開口部側あるいは開口部とは反対側に開口したことを特徴とする洗濯乾燥機。
【請求項２】
前記送風ダクト内に加熱手段を配設することを特徴とする洗濯乾燥機。
【請求項３】
前記送風ダクトはモータが固定される部材に固定することを特徴とする請求項１または請求項２に記載の洗濯乾燥機。
【発明の詳細な説明】
【０００１】
【発明の属する技術分野】
この発明は、洗濯行程の次に乾燥行程を設けた洗濯乾燥機に関するものである。
【０００２】
【従来の技術】
洗濯兼脱水槽内の洗濯物に温風を接触させて洗濯物を乾燥させる乾燥行程を設けた洗濯乾燥機の一例として、外箱と外箱の上部に配設するトップカバーと、外箱内に配設する洗濯槽と、前記洗濯槽内に温風を供給する温風供給手段を備えた洗濯乾燥機において、前記トップカバーの後部位置に前記温風供給手段の加熱装置を配設し、この加熱装置からの温風を洗濯槽に導入する温風吐出ダクトをトップカバーの内側にそって配置したものである（例えば、特許文献１参照）。
【０００３】
そして、洗濯兼脱水槽内の洗濯物を乾燥させるには、温風供給手段の加熱装置であるヒータに通電し、別途配設した送風機を作動して加熱装置で加熱した温風を温風吐出ダクトを介して洗濯兼脱水槽内に送っている。
【０００４】
【特許文献１】
特開２００１−１９８３８５号公報
【０００５】
【発明が解決しようとする課題】
洗濯兼脱水槽内に温風を供給するための手段として、加熱装置を設置しているが、この加熱装置は室温の空気を衣類を乾燥できる程度の温風になるまで加熱するものであり、比較的大きな容量を必要とし、また、所定温度にまで加熱するには時間とコストを要する。
【０００６】
一方、洗濯乾燥機には、洗濯兼脱水槽を回転駆動させるためのモータが備わっており、このモータからは駆動より排熱が発生しているが、これは利用されることなく冷却用のファンで排気されている。
【０００７】
また、温風を洗濯兼脱水槽内に送るには専用の送風ファンを設置しているので、部品点数が多くなり、構造も複雑となる。
【０００８】
この発明の目的は前記従来例の不都合を解消し、洗濯乾燥機において、洗濯兼脱水槽内に温風を供給するに際し、送風用のファンを別途格別に設置する必要がなく、部品点数の削減と構造の簡素化を図ることができ、また、加熱装置を設ける場合であっても容量を小さくできて省エネとコストダウンを図ることができる洗濯乾燥機を提供することにある。
【０００９】
【課題を解決するための手段】
この発明は前記目的を達成するため、外箱内に洗濯兼脱水槽を回転自在に配設し、この洗濯兼脱水槽に駆動用のモータを接続した洗濯乾燥機において、前記モータに付設した送風ファンに一端が連通する送風ダクトを洗濯兼脱水槽の上部に開口することを特徴とする。
【００１０】
これにより、モータからの排熱を利用してこの熱で空気を加熱し、温風として洗濯兼脱水槽内に供給すれば、ランニングコスト低減を図れる。また、温風を洗濯兼脱水槽に送る手段としてモータに付設の冷却用の送風ファンを利用すれば、送風用のファンを別途設置する必要がなく、部品点数を減少でき、構造が複雑になることもなく、省エネも図れる。
【００１１】
【発明の実施の形態】
以下、図面についてこの発明の実施の形態を詳細に説明する。図１は、この発明の洗濯乾燥機の第１実施形態を示す縦断側面図で、上面に洗濯物の出入用の開口を設けた全自動１槽式洗濯機であり、全体構成から説明すると、外箱１内に水槽２を防振装置を介して揺動自在に吊支し、この水槽２内に底部に回転翼４を設けた洗濯兼脱水槽３を回転自在に配設したもので、前記水槽２の上端縁には、洗濯兼脱水槽３の上部の開口縁に取り付けたバランサ６の上方を覆うようにして水槽カバー５が取り付けてある。
【００１２】
外箱１の上部には、水槽カバー５の上方を覆うようにして蓋７を設けたトップカバー８が配設され、蓋７には吸気口７ａが形成されている。
【００１３】
水槽２の底部の下方に、モータ９を配設し、このモータ９から下方に向けて突出する駆動軸にプーリ１０ａと一体の冷却用の送風ファン１０を結合し、同じく水槽２の底部の下方に配設した減速機構１１の回転軸に連結したプーリ１２とをベルト１３で連結した。
【００１４】
水槽２の底部に排水口を形成し、この排水口に、途中に排水弁１５を設けた排水管１４を開口する。
【００１５】
かかる構成の洗濯乾燥機において、前記送風ファン１０をファンケーシング１６で覆い、このファンケーシング１６に一端を開口する送風ダクト１７を水槽２の外壁にそって立ち上げ、この送風ダクト１７の上端を水槽カバー５の開口縁に開口する。
【００１６】
送風ダクト１７は、水槽２に沿ってこれと平行に立上がる箇所では、水槽２の外壁をダクト壁と共用し、水槽２の外壁で送風ダクト１７の一部を構成する。また、送風ダクト１７の上部の開口１７ａも水槽カバー５の開口縁で開口１７ａの一部を構成する。
【００１７】
そして、送風ダクト１７の内部に加熱手段としてのヒータ１８を配設する。
【００１８】
次に作用について説明する。乾燥行程でモータ９に通電すれば、モータ冷却用の送風ファン１０が回転し、モータ９の排熱により暖められた空気が温風として送風ファン１０により送風ダクト１７を介して上方の開口１７ａに送られ、ここから洗濯兼脱水槽３内に送風され、洗濯兼脱水槽３内の洗濯物に当てられる。
【００１９】
この場合、モータ９の排熱だけでは洗濯物を乾燥させるに十分な熱量が得られないので、送風ダクト１７の途中に設けたヒータ１８に通電してヒータ１８でさらに加熱する。
【００２０】
また、モータ９が回転することでこれが振動するが、送風ダクト１７もモータ９が固定されている水槽２に固定されているから、モータ９の振動が送風ダクト１７に悪影響を及ぼすことはない。
【００２１】
図２は第２実施形態を示し、これは回転ドラム式の洗濯乾燥機であり、前部に衣類の出し入れ用の扉２３を設けた外箱２０内に配設した水槽となるケーシング２１の内部に洗濯兼脱水槽となる回転ドラム２２を軸着したもので、回転ドラム２２およびケーシング２１の背面側には吸気口３１が形成され、前面側には排気口３２が形成されている。
【００２２】
前記ケーシング２１の底部の下方に位置させてモータ２４を外箱２０に固定し、このモータ２４の回転駆動軸に送風ファン２５と一体のプーリ２９を取り付け、このプーリ２９を回転ドラム２２の回転軸に取り付けたプーリ２８とベルト３０で連結する。
【００２３】
前記送風ファン２５をファンケーシング２６で覆い、このファンケーシング２６に一端を開口する送風ダクト２７を外箱２０の内壁にそって立ち上げ、この送風ダクト２７の上端を吸気口３１に開口する。
【００２４】
送風ダクト２７は、外箱２０に沿ってこれと平行に立上がる箇所では、外箱２０の内壁面に密着させる。
【００２５】
乾燥行程で回転ドラム２２内の衣類を乾燥するには、モータ２４に通電すれば、モータ冷却用の送風ファン２５が回転し、モータ２４の排熱により暖められた空気が温風として送風ファン２５により送風ダクト２７を介して上方の吸気口３１に送られ、ここから回転ドラム２２内に送風され、内部の洗濯物に当てられる。これにより、洗濯物が乾燥する。
【００２６】
また、モータ２４が回転することでこれが振動するが、送風ダクト２７もモータ２４が固定されている外箱２０に固定されているから、送風ダクト２７のモータ２４に追随して振動するから、モータ２４の振動が送風ダクト２７に悪影響を及ぼすことはない。
【００２７】
【発明の効果】
以上述べたようにこの発明の洗濯乾燥機は、外箱内に洗濯兼脱水槽を回転自在に配設し、この洗濯兼脱水槽に駆動用のモータを接続した洗濯乾燥機において、前記モータに付設した送風ファンに一端が連通する送風ダクトを洗濯兼脱水槽の開口部側あるいは開口部とは反対側に開口するようにした。
【００２８】
これにより、モータからの排熱を利用してこの熱で空気を加熱し、温風として洗濯兼脱水槽内に供給すれば、加熱のためのランニングコスト低減を図れる。また、温風を洗濯兼脱水槽に送る手段としてモータに付設の冷却用の送風ファンを利用すれば、送風用のファンを別途設置する必要がなく、部品点数の減少を図ることができ構造が複雑になることもなく、省エネも図れるものである。
【図面の簡単な説明】
【図１】この発明の洗濯乾燥機の第１実施形態を示す縦断側面図である。
【図２】この発明の洗濯乾燥機の第２実施形態を示す縦断側面図である。
【符号の説明】
１  外箱                        ２  水槽
３  洗濯兼脱水槽                ４  回転翼
５  水槽カバー                  ６  バランサ
７  蓋                          ７ａ  吸気口
８  トップカバー                ９  モータ
１０  送風ファン                １０ａ  プーリ
１１  減速機構                  １２  プーリ
１３  ベルト                    １４  排水管
１５  排水弁                    １６  ファンケーシング
１７  送風ダクト                １７ａ  開口
１８  ヒータ                    ２０  外箱
２１  ケーシング                ２２  回転ドラム
２３  扉                        ２４  モータ
２５  送風ファン                ２６  ファンケーシング
２７  送風ダクト                ２８  プーリ
２９  プーリ                    ３０  ベルト
３１  吸気口                    ３２  排気口
【図１】
2004275612.tif 000003
【図２】
2004275612.tif 000004
【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
外箱内に洗濯兼脱水槽を回転自在に配設し、この洗濯兼脱水槽に駆動用のモータを接続
した洗濯乾燥機において、前記モータに付設した送風ファンに一端が連通する送風ダクト
を設け、また前記送風ダクトは、洗濯兼脱水槽の開口部側あるいは開口部とは反対側に開
口したことを特徴とする洗濯乾燥機。
【請求項２】
前記送風ダクト内に加熱手段を配設することを特徴とする洗濯乾燥機。
【請求項３】
前記送風ダクトはモータが固定される部材に固定することを特徴とする請求項１または
請求項２に記載の洗濯乾燥機。
【請求項４】
外箱内に洗濯兼脱水槽を回転自在に配設し、この洗濯兼脱水槽に駆動用のモータを接続し
た洗濯機または洗濯乾燥機において、水槽底部の下方に、モータを配設し、このモータか
ら下方に向けて突出する駆動軸にモータ冷却用の送風ファンとモータプーリとを結合させ
、水槽の底部の下方に配設した減速機構の回転軸に連結したことを特徴とする送風ファン
またはモータプーリ。
【請求項５】
前記送風ファンと前記モータープーリは、一体成型により結合したことを特徴とする請
求項４に記載の送風ファンまたはモータプーリ。